(57)【要約】【課題】本発明は、容易に完全分離が可能であると共に、完全分離させないで当該部分の折り曲げが可能な人形用の肢体分離折曲装置及びその装置を備えた人形の提供を目的とする。【解決手段】  本発明の人形用肢体分離折曲装置は、人形の任意箇所に設けた輪切切断部の一方の輪切面に埋設される受部と、前記受部に対してコイルばねを介して接離自在且つ傾動自在に当接される筒状の傾動部と、前記輪切切断部の他方の輪切面に埋設され前記傾動部に対して嵌合し当該嵌合部において嵌合方向に摺動自在且つ筒周り方向に回動可能に嵌ると共に所定の回動位置において係脱自在な嵌合部とを備えたことを特徴とする。又、本発明の人形は、本発明の人形用肢体分離折曲装置を備えた人形であることを特徴とする。【選択図】  図５
2014144074.tif 000002
【特許請求の範囲】
【請求項１】
人形の任意箇所に設けた輪切切断部の一方の輪切面に埋設される受部と、前記受部に対してコイルばねを介して接離自在且つ傾動自在に当接される筒状の傾動部と、前記輪切切断部の他方の輪切面に埋設され前記傾動部に対して嵌合し当該嵌合部において嵌合方向に摺動自在且つ筒周り方向に回動可能に嵌ると共に所定の回動位置において係脱自在な嵌合部とを備えたことを特徴とする人形用肢体分離折曲装置。
【請求項２】
傾動部は、略有底筒状体であって、当該筒状体の一方端側が受部の受口縁に当接され、当該筒状体の内部には一端が前記受部の受口底に係止され他端が当該筒状体の他方端に係止された引っ張りコイルばねが張設され、当該コイルばねの引っ張り力で筒状体の前記一方端側が前記受口縁に接離自在に当接されたことを特徴とする請求項１の人形用肢体分離折曲装置。
【請求項３】
嵌合部は、傾動部を外側から二重筒状に覆って嵌合する有底筒状体であることを特徴とする請求項２の人形用肢体分離折曲装置。
【請求項４】
傾動部は、当該傾動部の底外側に、筒状体の径方向に挿脱自在に貫通してコイルばねの一端を係止する係止ピンを挿脱自在に貫通支持する支持突起を有し、嵌合部は、当該嵌合部の底に、前記支持突起に支持された係止ピンが支持された状態のまま前記支持突起と共に通過可能で、且つ、当該嵌合部を前記傾動部に対して相対的に回動して周方向嵌合位置を所定の解錠位置以外に変えると前記係止ピンが孔縁に衝突して通過不能となる係止孔を有することを特徴とする請求項３の人形用肢体分離折曲装置。
【請求項５】
支持突起は、支持する係止ピンと当該支持突起が立設する底面との間の係合間隔が係止孔を有する嵌合部の底面の厚さに対して同等及び／又は大であることを特徴とする請求項４の人形用肢体分離折曲装置。
【請求項６】
受部と傾動部との間に介在するコイルばねは常時引っ張り力が作用する状態に張設されたことを特徴とする請求項１乃至請求項４の何れかに記載の人形用肢体分離折曲装置。
【請求項７】
受部の受口縁に当接される傾動部の端は、受口縁に嵌入する当該受口縁と相補形状の嵌入突起と当該受口縁への嵌入を阻止する阻止フランジとを有することを特徴とする請求項１乃至請求項５の何れかに記載の人形用肢体分離折曲装置。
【請求項８】
支持突起は、突起の頂面に筒軸方向に貫通して傾動部内に達する貫通孔を有することを特徴とする請求項４乃至請求項７の何れかに記載の人形用肢体分離折曲装置。
【請求項９】
人形の輪切切断部の両面に相対に埋設される受部と嵌合部は、各々、輪切面に当接される埋設固定用フランジを有することを特徴とする請求項１乃至請求項８の何れかに記載の人形用肢体分離折曲装置。
【請求項１０】
請求項１乃至請求項９の何れかに記載の人形用肢体分離折曲装置を備えたことを特徴とする人形。
【請求項１１】
上半身のみから成る人形において、請求項１乃至請求項９の何れかに記載の人形用肢体分離折曲装置を備えたことを特徴とする人形。
【請求項１２】
下半身のみから成る人形において、請求項１乃至請求項９の何れかに記載の人形用肢体分離折曲装置を備えたことを特徴とする人形。
【発明の詳細な説明】
【技術分野】
【０００１】
本発明は、人形の主として肢体を分割して当該分割部分を分離する装置に属するもので、詳しくは、マネキン人形等の着せ替えを必要とする人形の主として肢体の分割部分に埋設される装置であって、人形に与えられた本来の姿態（形状）のままでは衣類の着せ替えが困難或いは不可能な部分（以下、当該部分ともいう）、例えば、両手や両足先を大きく開いた上肢や下肢の一方又は両方の一部、殊に片足立ち人形の立ち足の脛や太股等の長さ方向の途中を輪切状に切断（以下、輪切切断部ともいう）して、相対する輪切面に埋設される一組の装置及びその装置を備えた人形に関する。
【背景技術】
【０００２】
従来の上記装置（従来装置）は、相対する一方側の輪切面に受具、他方側の輪切面に挿入具が各々埋設され、当該挿入具を受具に直線的に嵌入させて適宜な係合手段例えばネジやボルトで係合することにより常時は本来の姿態の状態に一体化され、一体化された状態のままでは着せ替えが不可能或いは困難な際に、係合手段の係合を解き受具から挿入具を外すことで、人形の当該部分を二つの部分に完全に分離（以下、完全分離ともいう）させて、着せ替えを行っていた。
即ち、従来装置は、人形の肢体の一部を分割して、分割された部分を完全分離する機能（以下、完全分離機能ともいう）しか備えていなかったのである。
【０００３】
上記のように、従来装置は完全分離機能のみしか備えていなかった分離専用の装置であったたため、例えば、着せ替えの際、仮に分離せずとも当該肢体部分が適度に引き延ばせたり折れ曲がらせたりするだけで容易に着せ替え可能な場合であっても、着せ替えするにはいちいち係合手段の係合を解いて完全分離させるという手間のかかる分離作業が必要な上、更に、着せ替え後元に戻す（一体）するには、改めて係合手段を係合させるというこれまた手間の掛る一体化作業が必要とされていたのである。
【発明の概要】
【発明が解決しようとする課題】
【０００４】
本発明は、従来のようなネジやボルトナット等の手間の掛る係合手段を用いず、容易に完全分離が可能であると共に、完全分離させないで当該部分の折り曲げが可能な、従来にない新規な人形用の肢体分離折曲装置及びその装置を備えた人形の提供を目的とするものである。
【課題を解決するための手段】
【０００５】
請求項１の人形用肢体分離折曲装置の発明は、人形の任意箇所に設けた輪切切断部の一方の輪切面に埋設される受部と、前記受部に対してコイルばねを介して接離自在且つ傾動自在に当接される筒状の傾動部と、前記輪切切断部の他方の輪切面に埋設され前記傾動部に対して嵌合し当該嵌合部において嵌合方向に摺動自在且つ筒周り方向に回動可能に嵌ると共に所定の回動位置において係脱自在な嵌合部とを備えたことを特徴とする。
【０００６】
請求項２の発明は、請求項１の人形用肢体分離折曲装置において、傾動部は、略有底筒状体であって、当該筒状体の一方端側が受部の受口縁に当接され、当該筒状体の内部には一端が前記受部の受口底に係止され他端が当該筒状体の他方端に係止された引っ張りコイルばねが張設され、当該コイルばねの引っ張り力で筒状体の前記一方端側が前記受口縁に接離自在に当接されたことを特徴とする。
【０００７】
請求項３の発明は、請求項２の人形用肢体分離折曲装置において、嵌合部は、傾動部を外側から二重筒状に覆って嵌合する有底筒状体であることを特徴とする。
【０００８】
請求項４の発明は、請求項３の人形用肢体分離折曲装置において、傾動部は、当該傾動部の底外側に、筒状体の径方向に挿脱自在に貫通してコイルばねの一端を係止する係止ピンを挿脱自在に貫通支持する支持突起を有し、嵌合部は、当該嵌合部の底に、前記支持突起に支持された係止ピンが支持された状態のまま前記支持突起と共に通過可能（以下、この位置を解錠位置ともいう）で、且つ、当該嵌合部を前記傾動部に対して相対的に回動して周方向嵌合位置を所定の解錠位置以外（以下、この位置を施錠位置ともいう）に変えると前記係止ピンが孔縁に衝突して通過不能となる係止孔を有する（分離自在）ことを特徴とする。
【０００９】
請求項５の発明は、請求項４の人形用肢体分離折曲装置において、支持突起は、支持する係止ピンと当該支持突起が立設する底面との間の係合間隔が係止孔を有する嵌合部の底面の厚さに対して同等及び／又は大であることを特徴とする。
【００１０】
請求項６の発明は、請求項１乃至請求項４の何れかに記載の人形用肢体分離折曲装置において、受部と傾動部との間に介在するコイルばねは常時引っ張り力が作用する状態に張設されたことを特徴とする。
【００１１】
請求項７の発明は、請求項１乃至請求項５の何れかに記載の人形用肢体分離折曲装置において、受部の受口縁に当接される傾動部の端は、受口縁に嵌入する当該受口縁と相補形状の嵌入突起と当該受口縁への嵌入を阻止する阻止フランジとを有することを特徴とする。
【００１２】
請求項８の発明は、請求項４乃至請求項７の何れかに記載の人形用肢体分離折曲装置において、支持突起は、突起の頂面に筒軸方向に貫通して傾動部内に達する貫通孔を有することを特徴とする。
【００１３】
請求項９の発明は、請求項１乃至請求項８の何れかに記載の人形用肢体分離折曲装置において、人形の輪切切断部の両面に相対に埋設される受部と嵌合部は、各々、輪切面に当接される埋設固定用フランジを有することを特徴とする。
【００１４】
請求項１０の人形の発明は、請求項１乃至請求項９の何れかに記載の人形用肢体分離折曲装置を備えたことを特徴とする。
【００１５】
請求項１１の人形の発明は、上半身のみから成る人形において、請求項１乃至請求項９の何れかに記載の人形用肢体分離折曲装置を備えたことを特徴とする。
【００１６】
請求項１２の人形の発明は、下半身のみから成る人形において、請求項１乃至請求項９の何れかに記載の人形用肢体分離折曲装置を備えたことを特徴とする。
【発明の効果】
【００１７】
請求項1乃至請求項１０の発明によれば、何れも、人形の輪切切断部の一方の輪切面側と他方の輪切面側とが、受部と、当該受部に対してコイルばねを介して接離且つ傾動自在の傾動部、及び当該傾動部に対して相対的に摺動且つ回動自在に嵌められて係脱自在に係合された嵌合部とが連結されているので、人手により容易に、前記コイルばねが伸びるように前記の両輪切面側を互いに引き離したり、引き離さず或いは引き離した状態でコイルばねを曲げることで、自在に当該輪切切断部分を適度に引き延ばしたり、適度に折り曲げたりすることができるので、従来のように完全分離をさせることなく、容易に人形への衣類の装着脱作業を迅速且つ容易に行うことができる。
【００１８】
又、傾動部と嵌合部とを相対的に回動させ解錠位置に変位させるだけで容易に傾動部と嵌合部との係合を解いて完全分離させることができると共に、傾動部に嵌合部を嵌めこんで相対的に施錠位置に回動変位させるだけで一体化させることができるので、作業従事者は何らの工具を用いず、手作業のみで容易に輪切切断部での完全分離作業や一体化作業を行うことができる。
【００１９】
殊に、両手や両足が大きく開いた人形や片足立ちの人形の立ち足側の適所に、例えば、腕や脛或いは太股等の長さ方向の途中に本装置を用いることによって、従来では着せ替えが容易ではなかった人形に、容易且つ迅速に着せ替えさせることができる。
【００２０】
請求項４の発明によれば、一方の輪切切断面に埋設された受部にコイルばねを介して連結された傾動部と他方の輪切切断面に埋設された嵌合部とを、当該嵌合部の底に設けた係止孔と前記傾動部の底に設けた支持突起を貫通する係止ピンという最小部品点数で係合手段を構成しているので、分離一体化のための係合手段の構造を簡素化することができ、故障し難い安価な装置を提供することができる。
【００２１】
請求項５の発明によれば、係合間隔内に嵌合部の底を容易に係止させることができるので、一体化作業が容易且つ迅速にできる。
【００２２】
請求項８の発明によれば、貫通孔の外側からフック等の適当な係止具(図示せず)を用いてコイルばねの一端を引っ張って支持突起を貫通する係止ピンにばね端部を容易に係止させることができるので、装置の構造を簡素化し組み立も容易となる。
【００２３】
請求項１０乃至請求項１３の発明によれば、従来では着せ替え作業の困難性から造型し難かった人形の形態（姿態）も比較的自由に採用することができ、斬新な姿態（形状）の人形を提供することができる。
【図面の簡単な説明】
【００２４】
【図１】図１は本装置の斜視図である。
【図２】図２は本装置の分解斜視図である。
【図３】図３は本装置の組み立て途中の分解斜視図である。
【図４】図４は本装置が大腿部に装置されて両輪切切断面が引き離された状態を示す縦断面図である。
【図５】図４は輪切切断部が屈曲された状態を示す縦断面図である。
【発明を実施するための形態】
【００２５】
以下、本発明をマネキン人形の一方の太股に適用した実施例を図に基づいて説明する。
【実施例】
【００２６】
図１乃至図４において、図示の人形用肢体分離折曲装置１は、人形の任意箇所、この例では図４に示すように大腿部２の長さ方向途中の輪切切断部３の一方の大腿部下部側の輪切面３１側に埋設された略短筒状の受部４と、この受部４に対して引っ張りコイルばね５１を介して接離自在且つ傾動自在に当接された略筒状の傾動部５と、前記の輪切切断部３の他方の大腿部上部側の輪切面３２側に埋設されて前記の傾動部５に対して相対的に当該傾動部５の筒軸方向に摺動自在で且つ筒周り方向に回動自在に嵌合された嵌合部６とを備えている。
【００２７】
図４及び図５において、受部４は、筒の短い有底の略短筒状（以下、単に短筒ともいう）としているが、図５に示すように静止状態において、当該短筒の全体で傾動部５を受けるのではなく、短筒の上端口縁部即ち輪切面３１側の口縁部を受口４１とし、この受口４１の縁（受口縁）で筒状の傾動部５の下端側を浅く嵌合させて受ける部材である。
【００２８】
図示の受部４の例では、図２に示すように受部４の受口４１が円の一部を直線状とした形状、譬えて言うならば半月状或いは輪切された板蒲鉾状（以下、このような円形でない口形を異形口ともいう）の短筒とされているが、単純な円形状の短筒であってもよい。
【００２９】
後述するように、傾動部５の下端側を前記異形口に嵌合する相補形状の異形嵌口とすることによって、受部４と傾動部５とが常に所定の状態で嵌合し当接し合うように位置決めすることができる。この位置決めによって、受部４に傾動部５が嵌合して当接した状態では、輪切された肢体、この例では大腿部が、常に、当初人形に当初から与えられていた形態の大腿部の形状に維持される。
尚、受部４を単純な円形状の短筒とする場合には、他の適当な位置決め手段を用いればよい。
【００３０】
傾動部５は、有底の筒状体（以下、略有底筒状体或いは単に筒体ともいう）であって、当該筒状体５の一方端側が前記受部４の受口４１の縁（以下、受口縁ともいう）に、当該筒状体５の筒軸を中心に略すりこぎ運動状に傾動するよう傾動可能に当接される部材である。
【００３１】
傾動部５の主体をなす筒状体（５）の内部には、引っ張りコイルばね５１が筒軸方向に張設されている。この引っ張りコイルばね５１の一端は前記受部４の受口底側に係止され、他端は当該筒状体５の他方端側に係止されており、この引っ張りコイルばね５１の引っ張り力で、当該筒状体５は、その一方端側が前記受口４１の縁に接離自在且つ傾動自在に浅く嵌合して、当該受部４の受口４１の縁に、筒軸が一致して当接された状態に維持されている。
【００３２】
この傾動部５の底外側には、筒状体５の径方向に挿脱自在に貫通してコイルばね５１の一端を係止する係止ピン５２を挿脱自在に貫通支持する支持突起５３が筒軸方向に突設されている。この係止ピン５２は、当該傾動部５の筒外径よりは短く、従って支持突起５３の筒の径方向の長さは係止ピン５２よりも更に短く形成されている。
これは、後述の嵌合部６が、前記傾動部５の底外に、前記支持突起５に支持された係止ピン５１が貫通支持された状態のままでも筒軸方向に摺動自在で、筒周り方向にも回動自在に嵌合させるためである。
【００３３】
嵌合部６は、傾動部５を当該傾動部５の前記他端側の外側から二重筒状に覆って、筒軸方向に摺動自在で当該筒周り方向に回動可能に嵌合されるもので、これもまた有底の筒状をした部材（以下、有底筒状体或いは有底外筒ともいう）である。
この嵌合部６の底には、前記傾動部５の底外の支持突起５３に貫通支持されたままの係止ピン５２が、相対的に所定の筒径方向に向いた状態において（係止ピン５２と係止孔６１との一致）、前記支持突起５３と共に通過可能（以下、この相対的な筒径方向の所定の位置を解錠位置ともいう）な係止孔６１を有する（分離自在）。
【００３４】
従って、この嵌合部６の係止孔６１は、当該嵌合部６を前記傾動部５に対して相対的に筒周り方向に回動して周方向嵌合位置を前記の所定の解錠位置以外（以下、この位置を施錠位置ともいう）に変えると（係止ピン５２と係止孔６１の不一致）、当該嵌合部６を前記傾動部５に対して筒軸方向に嵌合させる方向或いは嵌合を外す方向に摺動させようとしても、前記係止ピン５２が当該係止孔６１の孔縁即ち底面６２に衝突して通過不能とさせる（分離或いは嵌合不能）機能を有する。
【００３５】
従って、嵌合部６と傾動部５とは、両部の二重筒状の嵌合状態において、図５に示す傾動部５との係合状態と図４に示す傾動部５との係合解除状態との状態変化を、傾動部５と嵌合部６との相対的な回動位置操作（実際には受部４が埋設された人形部材側と嵌合部６が埋設された人形部材側との相対的回動操作）によって、容易に実現させることができる。
即ち、嵌合部６と傾動部５とを実際的には受部４と嵌合部６とを、嵌合させた状態で筒軸方向の回動位置即ち解錠位置を探るように回動操作して、前記解錠位置に合わせることによって、受部４が埋設された人形部材側と嵌合部６が埋設された人形部材側とを極めて容易に一体化(係合）させたり、完全分離（離脱）させたりすることができる（係脱自在）。
【００３６】
図４において、支持突起５３は、当該支持突起５３が支持する係止ピン５２と当該支持突起５３が立設する当該嵌合部６の底面６２の外側との間の係合間隔Ｓが、係止孔６１を有する嵌合部６の底面６２の厚さに対して同等か同等以上即ち同等及び／又は大としてある。
【００３７】
上記の係合間隔Ｓは次のように機能する。
先ず、図３に図示の状態から図４に図示の状態へと嵌合部６を傾動部５に嵌めて行き、傾動部５の支持突起５３に貫通支持されている係止ピン５２に対して、嵌合部６の係止孔６１との長手方向の向きが筒径方向において一致するように、即ち、係止孔６１の孔縁即ち嵌合部６の底面６２が係止ピン５２と衝突しないよう傾動部５と嵌合部６とを相対的に回動操作して、周方向嵌合位置を前記の所定の解錠位置とする。
すると、嵌合部６はその底面６２が、係止ピン５２と接触することなく通過して、更に深く嵌入し、係合間隔Ｓに達して収まり、嵌合部６が傾動部５に対して二重筒状になって嵌合した状態となる。
【００３８】
次に、嵌合部６の底面６２が係合間隔Ｓに収まった嵌合状態の下で、嵌合部６を傾動部５に対して相対的に筒軸周り方向即ち筒周り方向に回動して周方向嵌合位置を前記の所定の解錠位置以外、即ち、施錠位置に変えた状態（図５の状態）にすると、係止ピン５２と係止孔６１との向き（方向）が不一致となるため、嵌合部６を傾動部５に対して筒軸方向に嵌合を外す方向に摺動させようとしても、係止ピン５２が該係止孔６１の孔縁即ち底面６２に衝突して通過不能となる。
これによって、受部４にコイルばね５１を介して分離不能に連結されている傾動部５と嵌合部６とが分離不能に係合し一体化される。
尚、この一体化(係合）を解いて、傾動部５と嵌合部６とを分離するには上記手順を逆に行えばよい。
【００３９】
こうして一体化された傾動部５と嵌合部６とは、一本のコイルばね５１を介して受部４の底側（図において受部の下方側）と連結された状態で、傾動部５の下端側が受部４の受口４１にコイルばね５１を介して接離自在に当接する。
受部４と傾動部５との間に介装するこのコイルばね５１は、着せ替え従事者の手力が加えられない状態即ち常時では、引っ張り力が作用して傾動部５と受部４との当接状態が維持され、着せ替え作業時に従事者の手力が引き延ばし方向や傾動方向に加えられると、図５に示すように比較的容易に伸張して自在に屈曲する程度の張力で張設しておく。
【００４０】
以下、本装置１のその他の構成を、本装置の組み立て及び人形に埋設（装置）する説明と共に説明する。
先ず、図２及び図４において、受部４を説明する。
実施例の受部４は、上述のように口形が板蒲鉾状の無底の短筒状に形成されており、当該開口縁即ち受口４１の縁（口縁）には当該受部４の本体である筒状体を人形部材の輪切面３１に穿った埋め込み用穴(図示せず)に埋め込んだ状態に固定するための埋設固定用フランジ４３が輪状に設けられており、当該埋設固定用フランジ４３には止着ビス４２用のビス穴４４が適当数配設されている。
【００４１】
この受部４は図４に示すようにフランジ４３の表面が輪切面３１と同一平面をなすように埋設される。
又、受部４の下端側即ち埋設状態における底側には、コイルばね５１の一方端（図において下端側）を係止する係止具として当該筒状体（４）を径方向に貫通するネジ４５とナット４６とを備えている。
【００４２】
図２乃至図４において、埋設される前の受部４は、上記のように傾動部５と一体的となるよう予め組み立てられている。この組み立てを図２及び図４に基づいて説明する。
先ず、コイルばね５１の下端側をネジ４５が貫通する位置に落とし込み、落とし込んだ状態のままでネジ４５を、コイルばね５１の下端の係止孔５４に通すよう筒状体即ち受部４の本体にネジ止め固定する（図４参照）。
【００４３】
次に、コイルばね５１の上端側から傾動部５を被せて行き、コイルばね５１の上端の係止孔５５（図２）が傾動部５の支持突起５３の内部に相対的に侵入させ、侵入させた状態のままで、当該係止孔５５を通るように係止ピン５３を支持突起５３に貫通させる。
貫通させる際、コイルばね５１は上記のような引っ張り力が与えられているので、
支持突起５３の頂面側に設けてある開口５６から適当な引っかけ具(図示せず)を挿し込んで、コイルばね５１の上端側を引っ張り上げて置く必要がある。
【００４４】
このようにコイルばね５１を伸張させた状態で係止ピン５３を貫通させた後、引っかけ具(図示せず)を外すと、コイルばね５１の引っ張り力で、図４に示すように、受部４の受口４１に傾動部５の下端側が接離自在に当接する。即ち図３に示すように、受部４と傾動部５とがコイルばね５1を介して一体的に連結された状態となる。即ち、本装置１は受部４と傾動部５とが連結された一体と嵌合部６の一体との二組となる。
【００４５】
このようにして、一体的に連結された受部４と傾動部５とは、コイルばね５１の引っ張り力による縮小（当接）と、当該張力に抗する着せ替え作業者の手力による伸張や折り曲げによる分離（不完全分離）がされる毎に、受部４の受口４１と傾動部５の下端（側）との当接や分離が繰り返えされることになる。
【００４６】
この当接と分離とを円滑に行わせるために、一方の受部４の受口４１の口縁はＲを付けた曲面としてある。
他方の傾動部５の下端側の筒口縁には、即ち、受部４の受口４１の縁（受口縁）に当接される傾動部５の端側（図において下端側）には、当該受口縁（４１）に若干嵌入するように受口縁４１と相補形状の嵌入突起５７とすると共に、当該受口縁（４１）への無用の嵌入を阻止する阻止フランジ５８とを設け、前記の嵌入突起５７の突起頂点側から阻止フランジ５８のフランジ外周縁側までを、当該受口４の本体である筒状体の筒軸方向断面において略弧状としてある。
【００４７】
次に、嵌合部６について説明する。
嵌合部6は上述の通りその本体たる筒状体は有底の筒であり、図において上端側の底部６２には傾動部５の支持突起５３と当該支持突起５３に貫通支持されている係止ピン５２とが通過可能な貫通孔６１が設けられている。
又、図において下端側の筒口開口部縁には当該嵌合部６が埋設される輪切面３２に当接される埋設固定用フランジ６５が輪状に設けられており、当該埋設固定用フランジ６５には止着ビス６６用のビス穴６７が適当数配設されている。
【００４８】
この嵌合部６もまた上記の受部４と同様に、図４に示すようにフランジ６５の表面が輪切面３２と同一平面をなすように埋設されるのであるが、図１の施錠状態（嵌合部６の貫通孔６１に対する係止ピン５２の図において９０度のズレに着目）で輪切面３２に埋設される必要がある。これは、９０度のズレで埋設された状態における大腿部の形状が人形の肢体姿として当該人形に当初から与えられている肢体形状となるからである。
【００４９】
この施錠状態（係合状態）においては、この実施例において、大腿部の途中を輪切して相対する両輪切面３１、３２に埋設された本装置１を用いて両輪切面３１、３２側の人形の肢体部分を完全に分離させることはできないが、図5に示すように、係止ピン５２を介して一体化された傾動部５と嵌合部６とを、受部４との当接状態を引き離して不完全分離させた状態にして、或いは不完全分離状態にさせながら、当該輪切切断部３における両輪切面３１、３２の相対間隔を開かせたり、開かせた状態で３６０度任意の方向に折り曲げたりすることができる。
【００５０】
他方、この施錠状態（係合状態）から、大腿部の途中を輪切して相対する両輪切面３１、３２に埋設された本装置１を用いて両輪切面３１、３２側の人形の肢体部分を完全に分離させるには、図１の状態から図中の係止ピンと係止孔６１とを一致させるようこの実施例では９０度、嵌合部６を傾動部５に対して相対的に回動操作する必要がある。図２は本装置１の分解斜視図であるが、係止ピン５２と係止孔６１とを一致させた状態で図示してある。
【００５１】
要するに、この実施例では、両輪切面３１、３２側の人形の肢体部分を完全に分離させるには、９０度の相対回動操作を必要とするものであり、解除状態にて嵌合部６と傾動部５とを一体的に嵌合させて、確実な一体化を維持させるために解除状態から９０度の回動位置にて、係止ピン５２が回動し難く安定化即ち施錠状態を維持させるように、係止ピン５２に対する回動阻止突起としてのストッパー用突起６８を嵌合部６の底面の外面に係止ピン５２の外周面を２点で回動困難に阻止する一対の係止部として突設している。
【００５２】
従って、一方の輪切面３１に埋設された受部４ひいては傾動部５に対して、嵌合部６を他方の輪切面３２に埋設する際には、上記のように、相対的に９０度回動させた状態で埋設する必要があるのである。
従って、勿論、施錠状態を安定化させるために、この実施例の手法によらず、別途の適宜な安定化手段を採用した場合には、それに応じた埋設を行う必要があること当然である。
【００５３】
この実施例では、大腿部に本装置を設置したマネキン人形を例にして説明したが、片足立ちの下肢の一方に拘わらず、下肢の双方や、上肢或いは胴部等、何れの部分においても本装置を装着（装置）することができる。
【産業上の利用可能性】
【００５４】
本発明はマネキン人形に拘わらず衣類の着せ替えを必要とする人形、例えば玩具としての着せ替え人形等にも小型化した本発明の装置を装備させることによって、あらゆる姿態の人形に広く適用することができる。
【符号の説明】
【００５５】
１    人形用姿態分離折曲装置  
２    大腿部
３    輪切切断部（当該部分）
３１、３２  輪切面
４    受部
４１  受口  
５    傾動部（筒状体）
５１  コイルばね
５２  係止ピン
５３  支持突起
５４  係止孔（コイルばね下端）
５５  係止孔（コイルばね上端）
５６  開口（支持突起）
６    嵌合部
６１  係止孔
６２  底面（嵌合部・係止孔）
６８  ストッパー用突起（回動阻止突起）
【図１】
2014144074.tif 000003
【図２】
2014144074.tif 000004
【図３】
2014144074.tif 000005
【図４】
2014144074.tif 000006
【図５】
2014144074.tif 000007